(57)【要約】      （修正有）【課題】位置固定効果を有する三段式爪車レンチを提供する。【解決手段】レンチ本体１０は収容空間、旋転孔１４２、位置決め穴１５３を含み、爪車部２０は回動可能により該レンチ本体１０の収容空間に設けられる。支え装置３０は該レンチ本体１０の収容空間１１に設けれ、該支え装置３０は選択により該爪車部２０に噛み合わせる。方向切換えスイッチ４０は、トグルスイッチ４１、別の支え装置４２と、制御部４３とを含み、該トグルスイッチ４１は支え部４２２に対する押し込みを制御し、該方向切換えスイッチ４０は３つの固定位置を有する。これにより、３つの固定溝の設計が不要となり、一つのみの収容空間に精密な寸法が要求されないため、加工プロセスがより単純で容易となり、加工簡単と低コストの要望を満たし、精度の要求に対応でき、低価格のレンチを実現できる。【選択図】図２
0003151659.tif 000002
【実用新案登録請求の範囲】
【請求項１】
レンチ本体と、爪車部と、支え装置と、方向切換えスイッチと、を含む三段式爪車レンチであって、
レンチ本体は、収容空間と、旋転孔と位置決め穴とを有し、該旋転孔は該収容空間に連絡し、該位置決め穴を該旋転孔の付近場所に設け、
爪車部の外周縁にラチェット歯を設け、該爪車部は回動方式により、該レンチ本体の該収容空間に設け、
支え装置は、２つの支え部と２つの弾性体を含み、該支え装置は該レンチ本体の収容空間に設け、該２つの支え部は選択により該爪車部のラチェット歯に噛み合わせ、該２つの弾性体の一端は該２つの支え部をそれぞれ押し込み、該２つの弾性体は該収容空間の壁面をそれぞれ押し込み、
方向切換えスイッチは、トグルスイッチと、別の支え装置と、制御部を含み、該トグルスイッチは２つの側壁を含み、該制御部は該収容空間内部に設けられ、選択により該支え部を押し込み、該制御部の一端は該レンチ本体の旋転孔に延ばして、該トグルスイッチの一端に結合し、該支え装置は該レンチ本体の位置決め穴に設け、該トグルスイッチの他端は選択により該支え装置に装入し、該方向切換えスイッチを第１位置に回したときに、該トグルスイッチの片側は該支え装置に寄り掛かることにより、支え部を該爪車部に噛み合わせ、方向切換えスイッチを第２位置に回したときに、該トグルスイッチのもう一つの側壁は該別の支え装置に寄り掛かることにより、もう一つの支え部を該爪車部に噛み合わせ、該方向切換えスイッチを第３位置に回したとき、該トグルスイッチは該別の支え装置に装入することにより、２つの支え部を該爪車部へ同時に噛み合わせ、
フラップは、該収容空間を閉鎖し、該フラップに２つの締め具を設け、該レンチ本体と結合することを特徴とする、三段式爪車レンチ。
【請求項２】
該レンチ本体の一端に閉鎖端を形成し、該閉鎖端の外面に凹み部を形成し、該凹み部は扇形を形成して、該方向切換えスイッチに旋転空間を提供し、該凹み部と該閉鎖端の外面の接続場所に２つの障礙部を設け、該２つの障礙部は該トグルスイッチを第１位置と第２位置に制限し、該別の支え装置は弾性部と支え部とを含み、該トグルスイッチには凹み部と止め孔を設け、該凹み部は円弧状を形成し、選択により該支え部に装入することにより、該支え部の頂点に滑り込むことができ、該制御部の一端を突き出して延ばし固定部を設け、該固定部は該止め孔に結合し、該止め孔は多角形孔であり、該固定部は多辺形を形成し、該制御部は該トグルスイッチの制御を受け、該制御部は該固定部の付近場所に胴部を設け、該胴部は選択により該支え部を押し込み、該胴部の心軸線は該固定部の心軸線を遠く離れ、該固定部が小さい角度で回転するときに、該胴部は大きい距離に回動し、該フラップには旋転孔を設け、該制御部は該固定部の他端に突起部を形成し、該突起部は該旋転孔を横切ることを特徴とする、請求項１記載の三段式爪車レンチ。
【請求項３】
該収容空間には２つの凹みを設け、該２つの支え部の一端は旋転端であり、他端は歯止め端であり、該歯止め端は選択により該爪車部の歯に噛み合わせ、該支え部の該旋転端付近場所には切欠きを設け、該２つの支え部の切欠きは向かい合って設け、それぞれ異なる方向に向かい、該切欠きにより該支え装置により大きい旋転角を提供し、該レンチ本体の旋転孔と位置決め穴は該レンチ本体の心軸線に設け、該位置決め穴は該収容空間に連絡されないことを特徴とする、請求項１記載の三段式爪車レンチ。
【考案の詳細な説明】
【技術分野】
【０００１】
本考案は一種の三段式爪車レンチに係り、特に一種の固定効果を有する三段式爪車レンチに関する。
【背景技術】
【０００２】
方向切換え機能を備えた爪車付きレンチは、レンチの収容空間に爪車部と、障礙部と、方向切換えスイッチを設けるほか、方向切換え固定の効果を果たすために固定溝を設けて、方向切換えスイッチを選択により固定溝に固定する。
【０００３】
しかしながら、レンチの外形寸法は狭い空間での使用に配慮するため、極力その外径寸法を小型化しなければならない。換言すれば、レンチ内部の収容空間も制限され、収容空間に配置される素子は小さい寸法で設計しなければならない。このため、小さい素子の公差許容範囲が比較的小さく要求されるほか、収容空間と固定溝とも精密度の要求があるため、方向切換え機能の爪車付きレンチには加工寸法が厳しく要求されるという課題が残る。このほか、小型なため組立が困難であり、組立速度を向上することができなかった。
【０００４】
特許文献１に示す台湾特許第５２４１７４号の爪車方向制御機構の改良(その２)において、レンチ本体は収容部、戻り止め溝と、方向制御機構を含み、爪車、止め金、方向制御機構と、弾性支え装置とを収容する。方向制御機構はさらに２つの戻り止め溝孔と支え装置の選択による固定を提供する。方向制御機構を横方向移動することにより、支え装置をずらし止め金に歯止めて、爪車の回転方向を改変する。
【０００５】
特許文献１では、方向制御機構を横方向移動し、支え装置が弾性付勢により、それぞれの戻り止め溝孔に固定させる。２つの戻り止め溝孔の距離は止め金がずれて爪車に歯止めるか否かに関係し、かつ２つの戻り止め溝孔の深さも弾性支え装置跳躍の円滑動作に関連する。よって２つの戻り止め溝孔の距離と深さとも所定の要求を満たさない限り、レンチの方向切換えが円滑に制御できない。
【０００６】
そのほか、ラチェットレンチには収容部加工、戻り止め溝、方向切換え溝など収容空間の寸法上、加工精度の要求が依然として残るほか、小さい寸法素子の公差許容範囲が小さく、組立困難などの課題が残されている。
【０００７】
特許文献２に示す台湾特許第Ｍ３２３９６１号の２方向ラチェットレンチにおいて、本体、爪車、２つの支え部材、制御部、弾性固定シート、連動部材と、弾性部とを含む。本体は互いに連絡する３つの収容溝を有し、当該収容溝は爪車、支え部材と、制御部の収容に提供し、第３収容溝の底部は２つ固定溝を有し、弾性固定シートの固定に提供する。
【０００８】
特許文献２では狭い空間に３つの収容溝と固定溝を加工形成し、前記素子をそれぞれ組立てた後に固定しなければならない。小さい寸法の素子の加工が難しく、加工寸法が厳しく組立困難など、加工コストと製造時間がかさばるため、改良の必要がある。
【先行技術文献】
【特許文献】
【０００９】
【特許文献１】台湾特許第５２４１７４号公報
【特許文献２】台湾特許第Ｍ３２３９６１号公報
【考案の概要】
【考案が解決しようとする課題】
【００１０】
そこで、本考案の主な課題は一種の固定効果を有する三段式爪車レンチを提供することにある。
【課題を解決するための手段】
【００１１】
課題を解決するため、本考案は、レンチ本体は、収容空間、旋転孔と位置決め穴とを有し、該旋転孔は該収容空間に連絡し、該位置決め穴を該旋転孔の付近場所に設け、爪車部の外周縁にラチェット歯を設け、該爪車部は回動方式により、該レンチ本体の該収容空間に設け、支え装置は、２つの支え部と２つの弾性体を含み、該支え装置は該レンチ本体の収容空間に設け、該２つの支え部は選択により該爪車部のラチェット歯に噛み合わせ、該２つの弾性体の一端は該２つの支え部をそれぞれ押し込み、該２つの弾性体は該収容空間の壁面をそれぞれ押し込み、方向切換えスイッチは、トグルスイッチ、支え装置と、制御部を含み、該トグルスイッチは２つの側壁を含み、該制御部には該収容空間も設けて、選択により該支え部を押し込み、該制御部の一端は該レンチ本体の旋転孔に延ばして、該トグルスイッチの一端に結合し、該支え装置は該レンチ本体の位置決め穴に設け、該トグルスイッチの他端は選択により該支え装置に装入し、該方向切換えスイッチを第１位置に回したときに、該トグルスイッチの片側は該支え装置に寄り掛かることにより、支え部を該爪車部に噛み合わせ、方向切換えスイッチを第２位置に回したときに、該トグルスイッチのもう一つの側壁は該支え装置に寄り掛かることにより、もう一つの支え部を該爪車部に噛み合わせ、該方向切換えスイッチを第３位置に回したとき、該トグルスイッチは該支え装置に装入することにより、２つの支え部を該爪車部へ同時に噛み合わせ、フラップは、該収容空間を閉鎖し、該フラップに２つの締め具を設け、該レンチ本体と結合することを特徴とする三段式爪車レンチである。
【００１２】
本考案の三段式爪車レンチによれば、方向切換えスイッチを移動して支え装置を爪車部に噛み合わせることにより、方向切換えスイッチはトグルスイッチと凹み部の障礙部と、支え部との相対関係を利用し、２つの固定位置効果を形成する。障礙部と支え部との組み合わせにより、固定溝加工設計を省くことができる。一つのみの収容空間は精密な寸法が要求されないため、加工が単純で簡単になり、加工簡単と低コストという要求に対応し精度も満足でき、廉価なレンチを実現できる。
【考案の効果】
【００１３】
前記した説明内容から、本考案は以下の長所をまとめることができる。
【００１４】
＜イ＞本考案による三段式爪車レンチによれば、方向切換えスイッチのトグルスイッチを凹み部に設ける設計と、支え装置を凹み部から突き出して、トグルスイッチを選択により支え装置の両側または支え装置内に装入することにより、３カ所の位置固定効果実現できるほか、トグルスイッチも勝手に旋転しない。
【００１５】
＜ロ＞本考案による三段式爪車レンチによれば、支え装置による固定効果の実現には、加工簡単と厳しい加工公差が要求されないという長所があり、生産コストを確実に削減し販売価格に還元できる。
【００１６】
＜ハ＞本考案による三段式爪車レンチによれば、三段式制御が可能であり、第１方向回動または第２方向回動、または第１と第２方向回動が制御できる。
【図面の簡単な説明】
【００１７】
【図１】本考案による三段式爪車レンチの立体外観図である。
【図２】本考案による三段式爪車レンチの立体分解図である。
【図３】本考案による三段式爪車レンチの立体分解図である。
【図４】本考案によるレンチの方向切換えスイッチが第１位置における概略図であり、障礙部が爪車部に噛み合うときの概略図である。
【図５】本考案によるレンチの方向切換えスイッチが第１位置における概略図であり、制御部と障礙部との相対関係を示す概略図である。
【図６】本考案によるレンチの方向切換えスイッチを回したときの概略図であり、障礙部が爪車部に噛み合うときの概略図である。
【図７】本考案によるレンチの方向切換えスイッチの概略図であり、制御部と障礙部との相対関係を示す概略図である。
【図８】本考案によるレンチの方向切換えスイッチが第２位置における概略図であり、障礙部が爪車部に噛み合うときの概略図である。
【図９】本考案によるレンチの方向切換えスイッチが第２位置における概略図であり、制御部と障礙部との相対関係を示す概略図である。
【図１０】本考案によるレンチの方向切換えスイッチが第３位置における概略図であり、障礙部が爪車部に噛み合うときの概略図である。
【図１１】本考案によるレンチの方向切換えスイッチが第３位置における概略図であり、制御部と障礙部との相対関係を示す概略図である。
【考案を実施するための形態】
【００１８】
本発明による技術、手段ならびに効果は、好ましい実施例と図式を合わせて、以下の通り説明する。ただし、本発明の請求範囲はこれらの構造に制限されないことを申し上げる。
【００１９】
図１ないし３、本考案による三段式爪車レンチの立体外観図と立体分解図を参照する。本考案による三段式爪車レンチは、本体１０、爪車部２０、支え装置３０と、方向切換えスイッチ４０とを含む。
【００２０】
該レンチ本体１０は収容空間１１を有し、該収容空間１１はひょうたん状を形成し該唯一の収容空間１１は加工簡単の長所を有し、該収容空間１１はレンチ本体１０の把手の付近場所(図示しない)に２つの凹み１１１を設ける。該収容空間１１の一面は開放端１２を形成し、該収容空間１１の他面は閉鎖端１３を形成する。該開放端１２と該収容空間１１との接続場所に階段状保持縁１２１を形成する。フラップ１４はひょうたん状を形成し該階段状保持縁１２１を歯止めることにより、該収容空間１１の開放端１２を閉鎖し、該フラップ１４には穿孔１４１、旋転孔１４２、２つの取付孔１４３と、２つの締め具１４４とを設ける。
【００２１】
該閉鎖端１３には貫通孔１３１と２つの取付孔１３２を設け、当該２つの締め具１４４は該閉鎖端１３の取付孔１３２を横切り、該フラップ１４の取付孔１４３に結合する。該閉鎖端１３の外面に凹み部１５を形成し、該凹み部１５はレンチ本体１０の把手付近場所(図示しない)に設ける。該凹み部１５と該閉鎖端１３外面との接続場所に２つの障礙部１５１を設け、当該２つの障礙部１５１により該凹み部１５を扇形に形成し、当該２つの障礙部１５１は鋭角に形成する。該凹み部１５に旋転孔１５２と位置決め穴１５３を設け、該旋転孔１５２は該収容空間１１に連絡し、該フラップ１４の旋転孔１４２に対応する。該位置決め穴１５３は該収容空間１１に連絡されない。該位置決め穴１５３は止まり穴であり、該旋転孔１５２と該位置決め穴１５３は該レンチ本体１０の中心軸線上に設ける。
【００２２】
該爪車部２０の一端にはコネクタ２１を突き出して設け、他端には制御部２２を突き出して設け、該制御部２２によりコネクタ２１が駆動部材との結合を制御する。該爪車部２０外壁面の周りにはラチェット歯２３が設けられている。該爪車部２０は回転自在にて、該レンチ本体１０の収容空間１１に設ける。該コネクタ２１は該フラップ１４の穿孔１４１から露出し、該制御部２２は該レンチ本体１０閉鎖端１３の貫通孔１３１から露出する。
【００２３】
該支え装置３０は該レンチ本体１０の収容空間１１に設け、該支え装置３０は２つの障礙部３１と２つの弾性体３２を含み、該障礙部３１の第１端は旋転端３１１であり、第２端は歯止め端３１２である。該旋転端３１１の外周縁に弓状曲線を形成し、該旋転端３１１付近部に切欠き３１３を設け、該２つの障礙部３１の旋転端３１１は該収容空間１１の凹み１１１にそれぞれ設け、該２つの障礙部３１の切欠き３１３は向かい合って設けて、それぞれ反対方向に向けさせる。該弾性体３２は円錐形ばねであり、該弾性体３２の一端は該障礙部３１の壁面を押し込み、他端は該収容空間１１の壁面を押し込む。
【００２４】
該方向切換えスイッチ４０は旋転方式により、局部を該レンチ本体１０の凹み部１５に取付けて、該凹み部１５によって扇形を形成し、該方向切換えスイッチ４０の旋転空間を提供する。該方向切換えスイッチ４０はトグルスイッチ４１、支え装置４２と制御部４３を含む。該トグルスイッチ４１は細長い片状を形成し、該トグルスイッチ４１の第１端に止め孔４１１を設け、該止め孔４１１は多角形孔であり、該トグルスイッチ４１の第２端に凹み部４１２を設け、該凹み部４１２は円弧状を形成し、該トグルスイッチ４１は２つの側壁４１３を含み、該２つの側壁４１３は選択により、該凹み部１５の障礙部１５１に寄り掛かる。該支え装置４２は該レンチ本体１０の位置決め穴１５３に設け、該支え装置４２は弾性部４２１と支え部４２２を含み、該弾性部４２１の一端は該凹み部１５の位置決め穴１５３に設け、他端は支え部４２２を押し込むことにより、該支え部４２２を選択により該位置決め穴１５３内部にて軸方向に移動する。該支え部４２２は選択により局部を該位置決め穴１５３より露出し、該トグルスイッチ４１の凹み部４１２は選択により該支え装置４２に固定する。該制御部４３は該収容空間１１内部に設ける。該制御部４３は胴部４３１を含み、該胴部４３１の一端に固定部４３２を突き出して設け、他端は突起部４３３を突き出して設ける。該固定部４３２と該突起部４３３に同軸を形成し、該胴部４３１、固定部４３２と、突起部４３３は縦方向において、仮想の軸線をそれぞれ有し、当該仮想軸線はそれぞれ中心点を通過する。ただし、該胴部４３１の心軸線は該固定部４３２と該突起部４３３の心軸線を遠く離れることにより、該固定部４３２が小さい角度で回転するときに、該胴部４３１は大きい距離による旋回ができる。該固定部４３２は多辺形を形成し、該固定部４３２は該レンチ本体１０凹み部１５の旋転孔１５２に突き出して、該トグルスイッチ４１の止め孔４１１に結合する。該制御部４３は該トグルスイッチ４１の制御によって旋転する。該制御部４３の胴部４３１は選択により該支え装置３０の障礙部３１を押し込む。該制御部４３の突起部４３３は該フラップ１４の旋転孔１４２に突き出して設け、該突起部４３３は該旋転孔１４２に対して回動可能である。
【００２５】
図４と５、本考案のレンチによる方向切換えスイッチ４０が第１位置における態様図を参照する。該方向切換えスイッチ４０は３つの位置決め位置を有するため、該方向切換えスイッチ４０は３つの位置において移動できる。該方向切換えスイッチ４０を第１位置に回すことにより、該トグルスイッチ４１の凹み部４１２は該支え装置４２の支え部４２２を離れて、該トグルスイッチ４１の２つの側壁４１３は該凹み部１５の障礙部１５１と該支え装置４２の支え部４２２をそれぞれに係止めることにより、該トグルスイッチ４１の旋転回動にさらに制限が加わる。該トグルスイッチ４１は間接的に、該制御部４３の胴部４３１を該支え装置３０に備える一つの支え部３１の旋転を制御し、該胴部４３１は該支え部３１に押し込み、該支え部３１の旋転端３１１は収容空間１１の凹み１１１において旋転する。該支え部３１が引き続き押さえ込まれると、該支え部３１の切欠き３１３により大きい旋転角度を提供し、該支え部３１は該弾性体３２を圧迫して、該支え部３１の歯止め端３１２と該爪車部２０のラチェット歯２３とを引き離す。一方、もう一つの支え部３１が圧迫されていないため、もう一つの弾性体３２の弾力緩めにより、もう一つの支え部３１の歯止め端３１２を該爪車部２０のラチェット歯２３に噛み合わせて、レンチは第１方向よりねじ部材を回すことができる。
【００２６】
図６と７、本考案のレンチによる方向切換えスイッチ４０が回されたときの態様図を参照する。該方向切換えスイッチ４０のトグルスイッチ４１を回すことにより、該トグルスイッチ４１の一側壁４１３は該凹み部１５の障礙部１５１を引き離し、該トグルスイッチ４１のもう一つの側壁４１３は該支え装置４２の支え部４２２を横断して、該トグルスイッチ４１の底部により、該支え部４２２を圧迫する。このとき、該制御部４３は該トグルスイッチ４１の旋転に従って位置を改変し、圧迫されていた支え部３１は弾性体３２の弾性付勢により該歯止め端３１２を該爪車部２０のラチェット歯２３に向かって旋転させる。
【００２７】
図８、９、本考案によるレンチの方向切換えスイッチ４０が第２位置における態様図を参照する。該方向切換えスイッチ４０を第２位置に回すことにより、該トグルスイッチ４１の凹み部４１２は該支え装置４２の支え部４２２を離れて、該トグルスイッチ４１の２つの側壁４１３は該凹み部１５の障礙部１５１と該支え装置４２の支え部４２２をそれぞれに係止めることにより、該トグルスイッチ４１の旋転回動にさらに制限が加わる。該トグルスイッチ４１は、該制御部４３の胴部４３１を該支え装置３０に備える一つの支え部３１の旋転を制御し、該胴部４３１は該支え部３１に押し込み、該支え部３１の旋転端３１１は収容空間１１の凹み１１１において旋転する。該支え部３１が引き続き押さえ込まれると、該支え部３１の切欠き３１３により大きい旋転角度を提供し、該支え部３１は該弾性体３２を圧迫して、該支え部３１の歯止め端３１２と該爪車部２０のラチェット歯２３とを引き離す。一方、もう一つの支え部３１が圧迫されていないため、もう一つの弾性体３２の弾力緩めにより、もう一つの支え部３１の歯止め端３１２を該爪車部２０のラチェット歯２３に噛み合わせて、レンチは第２方向よりねじ部材を回すことができる。
【００２８】
図１０と１１、本考案のレンチによる方向切換えスイッチ４０が第３位置における態様図を参照する。該方向切換えスイッチ４０を第３位置に回すことにより、該トグルスイッチ４１の側壁４１３と該凹み部１５の障礙部１５１とを引き離し、該側壁４１３は該支え装置４２の支え部４２２を横断し、該トグルスイッチ４１の凹み部４１２はちょうど該支え部４２２に装入されて、該凹み部４１２は円弧状に形成されているため、容易に該支え部４２２の頂点に滑り込むことができる。該支え部４２２はさらに該弾性体４２１の押し込みにより、該トグルスイッチ４１を回動させないように、確実に制限できる。このとき、該２つの支え部３１は該制御部４３の胴部４３１によって抑えられていないため、該２つの支え部３１の歯止め端３１２は該爪車部２０のラチェット歯２３にそれぞれ噛み合わせて、該レンチ本体１０の爪車部２０は第１方向と第２方向において回動できる。
【００２９】
特に注意したいことは、該方向切換えスイッチ４０のトグルスイッチ４１は３つの固定位置を有し、該３つの固定位置は凹み部１５の障礙部１５１と、支え装置４２の支え部４２２と合わせてトグルスイッチ４１に固定効果を形成するため、トグルスイッチ４１が勝手に回転されず、制御部４３と支え装置３０との相対関係を制御できるという点である。
【００３０】
本考案の三段式爪車によれば、方向切換えスイッチを移動して支え装置を爪車部に噛み合わせることにより、方向切換えスイッチはトグルスイッチと凹み部の障礙部と、支え部との相対関係を利用し、３カ所の位置固定効果を形成する。又、障礙部と支え部との組み合わせにより、固定溝加工設計を省くことができる。一つのみの収容空間は精密な寸法が要求されないため、加工が単純で簡単になり、加工簡単と低コストという要求に対応し精度も満足でき、廉価なレンチを実現できる。
【符号の説明】
【００３１】
１０       レンチ本体
１１       収容空間
１１１     凹み
１２       開放端
１２１     階段状保持縁
１３       閉鎖端
１３１     貫通孔
１３２     取付孔
１４       フラップ
１４１     穿孔
１４２     旋転孔
１４３     取付孔
１４４     締め具
１５       凹み部
１５１     障礙部
１５２     旋転孔
１５３     位置決め穴
２０       爪車部
２１       コネクタ
２２       制御部
２３       ラチェット歯
３０       支え装置
３１       障礙部
３１１     旋転端
３１２     歯止め端
３１３     切欠き
３２       弾性部
４０       方向切換えスイッチ
４１       トグルスイッチ
４１１     止め孔
４１２     凹み部
４１３     側壁
４２       （別の）支え装置
４２１     弾性部
４２２     支え部
４３       制御部
４３１     胴部
４３２     固定部
４３３     突起部
【図１】
0003151659.tif 000003
【図２】
0003151659.tif 000004
【図３】
0003151659.tif 000005
【図４】
0003151659.tif 000006
【図５】
0003151659.tif 000007
【図６】
0003151659.tif 000008
【図７】
0003151659.tif 000009
【図８】
0003151659.tif 000010
【図９】
0003151659.tif 000011
【図１０】
0003151659.tif 000012
【図１１】
0003151659.tif 000013